(57)【要約】【課題】裁断する辺の数を少なくし、複数に分割した分割画像についても、つなぎ合わせて1つの大きな画像（ポスター）を形成する画像情報が得られる。【解決手段】1つの画像情報Ｇを、複数に分割すると共に拡大した拡大分割画像情報を生成する画像処理装置であって、画像情報Ｇと、該画像情報Ｇが配置された媒体の大きさを表す原稿情報Ｐを取得する原稿情報取得部１０と、画像情報Ｇ、原稿情報Ｐ、及び画像情報Ｇを分割する分割数Ｂを入力とし、画像情報Ｇを分割数Ｂで分割した分割画像情報を生成し、該分割画像情報のそれぞれに、印刷媒体の表裏のどちらに印刷するかを表す表裏情報Ｈと該分割画像情報の画像を反転させるか否かを表す反転情報Ｒを付与し、分割画像情報のそれぞれを分割数Ｂ倍して画像情報Ｇが配置された媒体と同じ大きさの媒体に配置させた拡大分割画像情報を生成する画像処理部２０とを備える。【選択図】図１
2020035256.tif 000002
【特許請求の範囲】
【請求項１】
1つの画像情報を、複数に分割すると共に拡大した拡大分割画像情報を生成する画像処理装置であって、
前記画像情報と、該画像情報が配置された媒体の大きさを表す原稿情報を取得する原稿情報取得部と、
前記画像情報、前記原稿情報、及び前記画像情報を分割する分割数を入力とし、前記画像情報を前記分割数で分割した分割画像情報を生成し、該分割画像情報のそれぞれに、印刷媒体の表裏のどちらに印刷するかを表す表裏情報と該分割画像情報の画像を反転させるか否かを表す反転情報を付与し、前記分割画像情報のそれぞれを前記分割数倍して前記画像情報が配置された媒体と同じ大きさの媒体に配置させた前記拡大分割画像情報を生成する画像処理部と
を備えることを特徴とする画像処理装置。
【請求項２】
前記画像処理部は、
利用者が指定する所定の幅に対応させて、前記拡大分割画像情報を接合させる辺の余白の幅を設定する
ことを特徴とする請求項１に記載の画像処理装置。
【請求項３】
前記画像処理部は、
利用者が手に取る最上面の前記拡大分割画像情報に、前記余白の幅を示す裁断線情報を付加する
ことを特徴とする請求項２に記載の画像処理装置。
【請求項４】
前記画像処理部は、
利用者が指定する前記分割画像情報に対応させた順番で前記拡大分割画像情報を生成する
ことを特徴とする請求項１乃至３の何れか一項に記載の画像処理装置。
【発明の詳細な説明】
【技術分野】
【０００１】
本発明は、1つの画像情報を、2分割又は4分割すると共に拡大した拡大分割画像情報を生成する画像処理装置に関する。
【背景技術】
【０００２】
1つの画像情報を分割及び拡大し、複数の拡大分割画像情報を生成する画像処理装置としては、例えば特許文献１に開示されたものが知られている。特許文献１に開示された画像処理装置は、例えばポスター印刷に用いられる。
【０００３】
ポスター印刷とは、1つの画像情報を分割、拡大し、拡大された複数の拡大分割画像を印刷装置で印刷可能な大きさの媒体にそれぞれ印刷し、印刷された各媒体を利用者がつなぎ合わせて1つの大きな印刷結果（ポスター）を得るための印刷のことである。
【先行技術文献】
【特許文献】
【０００４】
【特許文献１】特許第５６１４０７７号
【発明の概要】
【発明が解決しようとする課題】
【０００５】
特許文献１に開示された画像処理装置は、1つの画像を2つに分割し、2つに分割した拡大分割画像を利用者がつなぎ合わせるものである。特許文献１に開示された技術では、4分割した拡大分割画像に対応できないという課題がある。
【０００６】
また、1つの画像情報を分割、拡大した拡大分割画像を組み合わせてポスターを得ようとした場合、各拡大分割画像の余白の位置は画像毎に異なり、拡大分割画像毎に裁断する辺が異なるため、裁断する回数が多くなるという課題がある。
【０００７】
本発明は上記に鑑みてなされたもので、裁断する回数を少なくし、2分割以上に分割した分割画像についても、つなぎ合わせて1つの大きな画像（ポスター）を形成する印刷情報が得られる画像処理装置を提供することを目的とする。
【課題を解決するための手段】
【０００８】
上記目的を達成するため、本発明に係る画像処理装置は、1つの画像情報を、複数に分割すると共に拡大した拡大分割画像情報を生成する画像処理装置であって、前記画像情報と、該画像情報が配置された媒体の大きさを表す原稿情報を取得する原稿情報取得部と、前記画像情報、前記原稿情報、及び前記画像情報を分割する分割数を入力とし、前記画像情報を前記分割数で分割した分割画像情報を生成し、該分割画像情報のそれぞれに、印刷媒体の表裏のどちらに印刷するかを表す表裏情報と該分割画像情報の画像を反転させるか否かを表す反転情報を付与し、前記分割画像情報のそれぞれを前記分割数倍して前記画像情報が配置された媒体と同じ大きさの媒体に配置させた前記拡大分割画像情報を生成する画像処理部とを備える。
【発明の効果】
【０００９】
本発明によれば、裁断する回数を少なくし、2分割以上に分割した分割画像についても、つなぎ合わせて1つの大きな画像（ポスター）を形成する画像情報が得られる。
【図面の簡単な説明】
【００１０】
【図１】本発明の実施形態に係る画像処理装置の構成例を示すブロック図である。
【図２】1つの画像情報を4分割した拡大分割画像情報の比較例を示す模式図である。
【図３】図１に示す画像処理装置の処理手順を示すフローチャートである。
【図４】図１に示す画像処理装置で生成した拡大分割画像情報の例を模式的に示す図である。
【図５】短辺給紙の場合の拡大分割画像情報の例を模式的に示す図である。
【図６】拡大分割画像情報に裁断線情報を付加する処理手順を示すフローチャートである。
【図７】裁断線情報の例を模式的に示す図である。
【図８】分割画像情報のそれぞれの排出順を指定した例を模式的に示す図である。
【図９】画像情報を2分割した拡大分割画像情報の例を模式的に示す図である。
【発明を実施するための形態】
【００１１】
以下、本発明の実施の形態について、図面を参照して説明する。なお、各図面を通じて同一若しくは同等の部位や構成要素には、同一もしくは同等の符号を付し、その説明を省略もしくは簡略化する。
【００１２】
図１は、本発明の実施形態に係る画像処理装置の機能構成例を示すブロック図である。図１に示す画像処理装置１００は、1つの画像情報を、2分割又は4分割すると共に拡大した拡大分割画像情報を生成するものである。生成した拡大分割画像情報は、組み合わされて例えば1つのポスターを形成する。
【００１３】
画像処理装置１００は、原稿情報取得部１０、画像処理部２０、制御部３０、操作部４０、及び表示部５０を備える。画像処理装置１００は、例えばＲＯＭ、ＲＡＭ、ＣＰＵ等からなるコンピュータシステムで実現される。各機能部は、共通の伝送路であるバス６０で接続されている。
【００１４】
操作部４０は、そのコンピュータシステムに情報を与えるキーボード、マウス、及びタブレット等である。また、表示部５０は、液晶パネル、有機ＥＬパネル等を備えた表示装置である。図１において、外部機器と通信するためのＩ／Ｆ部等の一般的な機能部の表記は省略している。
【００１５】
原稿情報取得部１０は、例えばＩ／Ｆ部（図示せず）を介して接続されるスキャナー（図示せず）から画像情報Ｇと、該画像情報Ｇが配置された媒体の大きさを表す原稿情報Ｐを取得する。なお、画像情報Ｇと原稿情報Ｐは、文書作成ソフトウェア又は画像作成ソストウェアを用いて操作部４０の操作に基づいて生成するようにしても良い。その場合の原稿情報取得部１０は、制御部３０を構成するＣＰＵ３１、例えば文書作成ソフトウェアが実装されたＲＯＭ３２、及びＲＡＭ３３によって実現される。
【００１６】
画像処理部２０は、画像分割部２１、情報付与部２２、及び画像拡大部２３を備える。画像処理部２０が備える各機能部は、原稿情報取得部１０と同様に制御部３０で実現されるが、説明の都合により制御部３０と分離して表記している。
【００１７】
画像分割部２１は、原稿情報取得部１０で取得した1つの画像情報Ｇを、操作部４０から入力される分割数Ｂで分割して分割画像情報を生成する。分割数Ｂは、2又は4である。
【００１８】
情報付与部２２は、分割画像情報のそれぞれに、印刷媒体の表裏のどちらに印刷するかを表す表裏情報Ｈ、該分割画像情報の画像を反転（180度回転）させるか否かを表す反転情報Ｒを付与する。
【００１９】
画像拡大部２３は、分割画像情報のそれぞれを、操作部４０から入力される分割数Ｂ倍して画像情報Ｐが配置された媒体と同じ大きさの媒体に配置させた拡大分割画像情報を生成する。例えば、分割数Ｂ=4、原稿情報ＰをＡ４サイズと仮定すると、Ａ４サイズの媒体上に配置された画像情報Ｇが4分割され、分割されたそれぞれの画像がＡ４サイズの媒体に拡大される。したがって、この場合の画像情報Ｐは4倍に拡大され、4つの拡大分割画像情報を組み合わせた媒体の全体の大きさはＡ２サイズとなる。
【００２０】
拡大分割画像情報は、例えば、印刷媒体の大きさに適合するＰＤＬ（Page Description Language）形式の1つの印刷ジョブデータとして生成される。その印刷ジョブデータは、分割画像情報と分割数Ｂ（拡大率）の組みで表しても良い。つまり、分割画像情報の拡大は、印刷装置で行うようにしても良い。
【００２１】
画像処理部２０の機能は、印刷装置（図示せず）が備えるＲＯＭに実装されるプリンタドライバに含めても良い。その場合の操作部４０及び表示部５０は、印刷装置の操作パネルで構成される。
【００２２】
上記のように拡大分割画像情報は、例えばＰＤＬ形式のディジタル情報である。拡大分割画像情報は、印刷媒体に印刷される又は表示装置で表示されることで、画像に変換されるものである。つまり、拡大分割画像情報自体は、物理的な大きさを持たないが、以降において説明の便宜上、拡大分割画像情報が大きさを持つような表現をする場合がある。
【００２３】
例えば、「拡大分割画像情報の外側」といった表現をする場合がある。これは正確には、「拡大分割画像情報を媒体に配置して形成した拡大分割画像の外側」という意味である。
【００２４】
（比較例）
ここで、1つの画像情報Ｇを分割、拡大した拡大分割画像情報を組み合わせてポスターを得ようとした場合に、裁断する余白の位置が拡大分割画像情報ごとに異なることについて説明する。
【００２５】
図２は、1つの画像情報Ｇを分割、拡大した拡大分割画像情報の例を模式的に示す図である。画像情報Ｇは、フォント「あ」を例に説明する。
【００２６】
画像情報Ｇは、例えば、長辺給紙のＡ４サイズの媒体一面にフォント「あ」が表記されたものである。図２に示すように、長辺給紙とは、印刷装置に媒体の長辺側から給紙されることである。また、短辺給紙とは、印刷装置に媒体の短辺側から給紙されることである。
【００２７】
図２は、長辺給紙されたＡ４サイズの画像情報Ｇを、例えば左上、右上、左下、及び右下の4つの領域α，β，γ，δに分割し、分割したそれぞれの領域の分割画像情報をＡ４サイズに拡大した拡大分割画像情報Ｋの例を示す。なお、短辺給紙された場合と2分割した場合（分割数Ｂ=2）については後述する。
【００２８】
画像情報Ｐの左上の領域αの分割画像情報Ｂαは、1枚目の印刷媒体の表面に印刷される拡大分割画像情報Ｋαに対応する情報とされる。同様に、右上の領域βの分割画像情報Ｂβは拡大分割画像情報Ｋβに、左下の領域γは拡大分割画像情報Ｋγに、右下の領域δは拡大分割画像情報Ｋδにそれぞれ対応する情報である。
【００２９】
拡大分割画像情報Ｋα，Ｋβ，Ｋγ，Ｋδのそれぞれの外側には、余白が存在する。余白について拡大分割画像情報Ｋαを例に説明する。
【００３０】
拡大分割画像情報Ｋαの左辺側の余白の幅は、「とじしろ」の設定によって可変することができる。ただし、「とじしろ」を0に設定しても左辺側の余白は残る。また、「とじしろ」の幅を最大に設定しても右辺側の余白は残る。上辺側と下辺側も同様である。
【００３１】
したがって、4つの拡大分割画像情報Ｋα，Ｋβ，Ｋγ，Ｋδを組み合わせてポスターを形成する場合は、図２にハッチングで示す拡大分割画像情報Ｋαの右辺側と下辺側、拡大分割画像情報Ｋβの左辺側と下辺側、拡大分割画像情報Ｋγの右辺側と上辺側、拡大分割画像情報Ｋδの左辺側と上辺側のそれぞれの余白（8カ所）を裁断する必要がある。
【００３２】
このように、拡大分割画像情報Ｋα，Ｋβ，Ｋγ，Ｋδのそれぞれを裁断する辺は全て異なることになる。よって、一文字を4倍に拡大してポスター印刷する場合は、文字数×分割数×2の回数の裁断を行う必要があり、とても面倒である。
【００３３】
本実施形態に係る画像処理装置１００は、領域α，β，γ，δのそれぞれに対応させて、各拡大分割画像情報Ｋα〜Ｋδを媒体の表裏のどちらに配置するかと、分割画像情報をそのままの向き又は反転させるかを組み合わせることで、裁断する辺の数を減少させたものである。
【００３４】
続けて図３と図４を参照して画像処理装置１００について詳しく説明する。図３は、画像処理装置１００の処理手順を示すフローチャートである。図４は、画像処理装置１００で生成した拡大分割画像情報の例を模式的に示す図である。
【００３５】
画像処理装置１００は、原稿情報取得部１０が画像情報Ｇを取得すると動作を開始する（ステップＳ１）。画像情報Ｇは、例えば、Ｉ／Ｆ部（図示せず）を介して接続されたスキャナー（図示せず）から取得する。スキャナーで画像情報を取得する場合は、画像情報Ｇが配置された媒体の大きさを表す原稿情報Ｐも同時に取得できる。
【００３６】
分割数Ｂと原稿情報Ｐは、バス６０を介して画像処理部２０に入力される（ステップＳ２）。画像処理部２０に分割数Ｂと原稿情報Ｐが入力されると、画像処理部２０を構成する画像分割部２１は、画像情報Ｇを分割数Ｂで分割して分割画像情報を生成する（ステップＳ３）。図２に示した画像情報Ｇの例えばフォント「あ」を、左上（α）、右上（β）、左下（γ）、及び右下（δ）の4個の分割画像情報に分割する。なお、この例では、この段階で分割画像情報の拡大は行わない。
【００３７】
次に、情報付与部２２は、領域α，β，γ，δのそれぞれに対応させて、印刷媒体の表裏どちらに印刷するかを表す表裏情報Ｈを分割画像情報に付与する。「表」を表す表裏情報Ｈが付与された分割画像情報は、印刷媒体の表面に印刷される情報になる。「裏」を表す表裏情報Ｈが付与された分割画像情報は、印刷媒体の裏面に印刷される情報になる。表裏情報Ｈは1ビットの情報であり、「表」を表す場合は例えばＨ=1、「裏」を表す場合は例えばＨ=0である。
【００３８】
領域αの分割画像情報には、「表」を意味する表裏情報Ｈを付与する（ステップＳ４のＹＥＳ→ステップＳ５）。
【００３９】
領域βの分割画像情報には、「裏」を意味する表裏情報Ｈを付与する（ステップＳ６のＹＥＳ→ステップＳ７）。
【００４０】
領域γの分割画像情報には、「裏」を意味する表裏情報Ｈを付与する（ステップＳ８のＹＥＳ→ステップＳ９）。更に領域γの分割画像情報に対しては、分割画像情報を反転させる反転情報Ｒを付与する（ステップＳ１０）。分割画像情報を反転させる反転情報Ｒは、例えばＲ=1である。
【００４１】
領域δの分割画像情報には、「表」を意味する表裏情報Ｈを付与する（ステップＳ１１のＹＥＳ→ステップＳ１２）。更に領域δの分割画像情報に対しては、分割画像情報を反転させる反転情報Ｒを付与する（ステップＳ１３）。
【００４２】
領域ごとに分割画像情報が生成されると、画像拡大部２３は、それぞれの分割画像情報に付与された表裏情報Ｈと反転情報Ｒに基づいて、分割画像情報を分割数Ｂ倍した拡大分割画像情報Ｋα〜Ｋδを生成する（ステップＳ１４）。
【００４３】
図４（ａ）は、領域αの拡大分割画像情報Ｋαを印刷媒体上に形成（印刷）した画像を模式的に示す図である。領域αの分割画像情報には、表裏情報Ｈの「表」のみが付与されている。よって、1枚目の印刷媒体の表面に、フォント「あ」の左上の部分の分割画像情報が分割数Ｂ倍された拡大分割画像情報Ｋαが配置される。1枚目の印刷媒体の裏面は白紙である。
【００４４】
図４（ｂ）は、領域βの拡大分割画像情報Ｋβを印刷媒体上に形成（印刷）した画像を模式的に示す図である。領域βの分割画像情報には、表裏情報の「裏」のみが付与されている。よって、2枚目の印刷媒体の裏面に、フォント「あ」の右上の部分の分割画像情報が分割数Ｂ倍された拡大分割画像情報Ｋβが配置される。2枚目の印刷媒体の表面は白紙である。
【００４５】
図４（ｃ）は、領域γの拡大分割画像情報Ｋγを印刷媒体上に形成（印刷）した画像を模式的に示す図である。領域γの分割画像情報には、表裏情報の「裏」と反転情報が付与されている。よって、3枚目の印刷媒体の裏面に、フォント「あ」の左下の部分の分割画像情報が分割数Ｂ倍され、且つ反転された拡大分割画像情報Ｋγが配置される。3枚目の印刷媒体の表面は白紙である。
【００４６】
図４（ｄ）は、領域δの拡大分割画像情報Ｋδを印刷媒体上に形成（印刷）した画像を模式的に示す図である。領域δの分割画像情報には、表裏情報の「表」と反転情報が付与されている。よって、4枚目の印刷媒体の表面に、フォント「あ」の右下の部分の分割画像情報が分割数Ｂ倍され、且つ反転された拡大分割画像情報Ｋδが配置される。4枚目の印刷媒体の裏面は白紙である。
【００４７】
画像情報Ｇの拡大は、一般的な画像変換ソフトウェアで容易に行える。画像情報Ｇを、例えば長辺給紙のＡ４サイズ、且つ分割数Ｂを4と仮定する。その場合、4枚の拡大分割画像情報（Ａ４サイズ）を組み合わせた全体の大きさはＡ２サイズになる。
【００４８】
以上述べたように分割画像情報を、表裏情報と反転情報に基づいて分割数Ｂ倍して拡大した拡大分割画像情報は画像を組み合わせる方向を一致させることができる。つまり、図４（ａ）〜図４（ｄ）の表面を上にして重ねると、縦方向の余白Ｈｙは右側の辺、横方向の余白Ｗｙは下側の辺となる。つまり、裁断する辺を比較例の8カ所に対して2カ所に減らすことができる。
【００４９】
（短辺給紙）
ここで図５を参照して短辺給紙の場合について説明する。図５に示す画像情報Ｇは、図２の画像情報Ｇを90度回転させたものである。
【００５０】
画像情報Ｇのフォント「あ」を正対方向に見た領域α，β，γ，δは、図２と同じとする。そうすると、短辺給紙の場合の拡大分割画像情報Ｋα〜Ｋδは、図４に示した各画像を90度回転させたものになる。
【００５１】
各拡大分割画像情報Ｋα（図５（ａ））〜Ｋδ（図５（ｄ））の表面を上にして重ねると、縦方向の余白Ｈｙは右側の辺、横方向の余白Ｗｙは上側の辺となり、長辺給紙の場合と同様に裁断する辺を2カ所に減らすことができる。
【００５２】
なお、図３は、画像情報Ｇを分割してから拡大する例で説明したが、画像情報Ｇを拡大してから分割するようにしても良い。
【００５３】
以上述べたように本実施形態に係る画像処理装置１００は、1つの画像情報Ｇを、複数に分割すると共に拡大した拡大分割画像情報を生成する画像処理装置であって、画像情報Ｇと該画像情報Ｇが配置された媒体を表す原稿情報Ｐを取得する原稿情報取得部１０と、画像情報Ｇ、原稿情報Ｐ、及び画像情報Ｇを分割する分割数Ｂを入力とし、画像情報を分割数Ｂで分割した分割画像情報を生成し、該分割画像情報のそれぞれに、印刷媒体の表裏のどちらに印刷するかを表す表裏情報Ｈと該分割画像情報の画像を反転させるか否かを表す反転情報Ｒを付与し、分割画像情報のそれぞれを分割数Ｂ倍して画像情報Ｇが配置された媒体と同じ大きさの媒体に配置させた拡大分割画像情報を生成する画像処理部２０とを備える。これにより、裁断する回数を少なくし、4分割した分割画像についても、つなぎ合わせて1つの大きな画像（ポスター）を形成する拡大分割画像情報を生成することができる。
【００５４】
なお、余白Ｈｙと余白Ｗｙの幅が狭いと裁断し難い場合がある。そこで、余白Ｈｙと余白Ｗｙの幅は、利用者の設定によって変更できるようにしても良い。その場合、利用者は操作部４０を操作してそれぞれの幅を指定する。指定されたそれぞれの幅を表す情報は、バス６０を介して画像処理部２０に入力される。
【００５５】
画像処理部２０は、利用者が指定する所定の幅に対応させて、分割画像情報を接合させる辺の余白の幅を可変した拡大分割画像情報を生成する。これにより、拡大分割画像情報を形成させた印刷媒体の裁断を容易にすることができる。
【００５６】
次に、本実施形態の画像処理装置１００を変形した変形例について説明する。
【００５７】
（変形例１）
変形例１に係る画像処理装置１１０（図示せず）は、余白Ｈｙ，Ｗｙの部分に裁断線を表記するようにしたものである。裁断線を表記することで余白Ｈｙ，Ｗｙ部分の裁断が容易になる。
【００５８】
図６は、画像処理装置１１０が備える画像処理部２０の処理手順を示すフローチャートであり、分割画像情報が生成された後の処理手順を示す。分割画像情報を生成した後の画像処理部２０は、印刷媒体の排出がフェイスダウンであるか否かを確認する（ステップＳ１４０）。
【００５９】
フェイスダウンは、印刷面を下向きにして印刷媒体が排出されることを意味する。逆にフェイスアップは、印刷面を上向きにして印刷媒体が排出されることを意味する。このどちらにするかは、利用者が操作部４０を操作して設定する。又は、初期値でどちらかに決めても良い。
【００６０】
ファイスダウンの場合は、最初に排出される印刷媒体の表面が、利用者が手に取る最上面となる。また、ファイスアップの場合は、最後に排出される印刷媒体の表面が、利用者が手に取る最上面となる。
【００６１】
ここで、拡大分割画像情報が形成された印刷媒体の排出順は、例えば、領域α、領域β、領域γ、領域δの順と仮定する。その仮定において、排出がフェイスダウンの場合（ステップＳ１４０のＹＥＳ）は、印刷媒体の表面が下向きで排出される。したがって、この場合の画像処理部２０は、最初に排出される印刷媒体の表面（surface）の印刷面Ｐｓαに裁断線情報を付加する（ステップＳ１４１）。
【００６２】
排出がフェイスアップの場合（ステップＳ１４０のＮＯ）は、印刷媒体の表面が上向きで排出される。この場合は、最後に排出される印刷媒体の表面の印刷面Ｐｓδに裁断線情報を付加する（ステップＳ１４４）。
【００６３】
なお、排出がフェイスアップ（ステップＳ１４０のＮＯ）で分割数Ｂ=2の場合（ステップＳ１４２のＹＥＳ）は、最後に排出される2枚目の印刷媒体の表面の印刷面Ｐｓβに裁断線情報を付加する（ステップＳ１４３）。排出がフェイスダウンの場合は、分割数Ｂに関係なく、最初に排出される印刷媒体の表面（surface）の印刷面Ｐｓαに裁断線情報を付加する（ステップＳ１４１）。
【００６４】
図７は、裁断線情報が印刷された場合の画像の例を示す図である。図７は、領域δの拡大分割画像情報Ｋδに裁断線情報を付加した例である。
【００６５】
図７（ａ）は、縦方向の余白Ｈｙの上側の端部に裁断線ＣＨ、横方向の余白Ｗｙの左側の端部に裁断線ＣＷが表記されている。図７（ｂ）は、余白ＨｙとＷｙの交点に、それぞれの幅を表す裁断線がＬ字型に表記されている。また、裁断線ＣＨ，ＣＷを延長させて線で表記するようにしても良い。
【００６６】
このように、画像処理部２０は、利用者が手に取る最上面に対応する拡大分割画像情報に、余白の幅を示す裁断線情報を含ませる。これにより、拡大分割画像情報が形成された印刷媒体を重ねて裁断する場合に、最上面以外の印刷媒体に裁断線を表記する必要がなくなる。つまり、余分な印刷を行わなくて済む作用効果が得られる。
【００６７】
（変形例２）
本実施形態に係る画像処理装置１００は、各拡大分割画像情報Ｋα〜Ｋδを、媒体の表裏のどちらに配置するかと、各画像情報の向きを反転させるか否かを組み合わせている。したがって、1つの拡大分割画像情報を見ただけでは、どの部分の画像であるか分かり難い場合がある。例えば、図４（ｃ）及び図４（ｄ）に示す反転された拡大分割画像情報は、画像情報Ｐのどの部分に対応するか直ぐに見分けることは難しい。
【００６８】
そこで、どの部分の拡大分割画像情報Ｋα〜Ｋδであるかを分かり易くする目的で、その排出順を指定できるようにした変形例２に係る画像処理装置１２０（図示せず）について次に説明する。図８は、画像情報Ｇの例えばフォント「あ」を分割した左上（α）、右上（β）、左下（γ）、及び右下（δ）の各分割画像情報のそれぞれに、排出順（１）、（３）、（２）、及び（４）を指定した例を示す。
【００６９】
排出順は、利用者が操作部４０を操作して指定する。利用者が指定した排出順は、バス６０を介して画像処理部２０に入力される。画像処理部２０は、利用者が指定する分割画像情報に対応させた順番で拡大分割画像情報Ｋα〜Ｋδが排出される印刷ジョブデータを生成する。これにより、その印刷ジョブデータを印刷装置で印刷すれば、利用者は、排出される印刷媒体の順番によって画像情報Ｐのどの部分の拡大分割画像情報Ｋα〜Ｋδであるかを知ることができる。
【００７０】
（分割数）
図９は、画像情報Ｇ（ａ）を分割数Ｂ=2で分割して拡大した拡大分割画像情報を、印刷媒体上に形成（印刷）した例を模式的に示す図である。図９（ｂ）は画像情報Ｐの左半分を拡大した拡大分割画像情報Ｋαに対応し、図９（ｃ）は画像情報Ｐの右半分を拡大した拡大分割画像情報Ｋβに対応する。画像情報Ｇが配置された媒体の大きさを表す原稿情報Ｐは、Ａ４サイズであると仮定する。
【００７１】
図９（ｂ）に示すように拡大分割画像情報Ｋαは、1枚目の印刷媒体の表面に印刷されるフォント「あ」の左半分が2倍された画像情報である。1枚目の印刷媒体の裏面は白紙である。画像情報Ｐを分割した拡大分割画像情報Ｋαに対応する分割画像情報には、表裏情報Ｈの「表」が付与され、反転情報Ｒは付与されない。
【００７２】
図９（ｃ）は、拡大分割画像情報Ｋβを印刷媒体上に形成（印刷）した画像を模式的に示す図である。図９（ｃ）に示すように拡大分割画像情報Ｋβは、2枚目の印刷媒体の裏面に印刷されるフォント「あ」の右半分が2倍された画像情報である。2枚目の印刷媒体の表面は白紙である。画像情報Ｐを分割した拡大分割画像情報Ｋβに対応する分割画像情報には、表裏情報Ｈの「裏」が付与され、反転情報Ｒは付与されない。
【００７３】
図９（ｂ）と図９（ｃ）の表面を上にして重ねると、縦方向の余白Ｈｙは右側の辺となる。つまり、拡大分割画像情報Ｋβを2枚目の印刷媒体の表面に印刷した場合と比較すると、裁断する辺を2カ所から1カ所に減らすことができる。
【００７４】
このように本実施形態に係る画像処理装置１００によれば、2分割した分割画像についても裁断する辺の数を少なくし、裁断した画像をつなぎ合わせて1つの大きな画像（ポスター）を形成する画像情報を生成することができる。
【００７５】
原稿情報Ｐ、分割数Ｂ（Ｂ=2/Ｂ=4）、及び拡大分割画像情報の全体の大きさの関係を表１に示す。
【００７６】
【表１】
2020035256.tif 000003
【００７７】
表１に示すように原稿情報Ｐ=Ａ４サイズ、分割数Ｂ=2の場合の拡大分割画像情報の全体の大きさはＡ３サイズである。また、原稿情報Ｐ=Ａ４サイズ、分割数Ｂ=4の場合の拡大分割画像情報の全体の大きさはＡ２サイズである。この関係はＢ判の媒体サイズでも同じである。
【００７８】
以上述べたように画像処理装置１００は、1つの画像情報Ｇを、2分割又は4分割して拡大した拡大分割画像情報を生成する画像処理装置であって、画像情報Ｇと該画像情報Ｇが配置された媒体の大きさを表す原稿情報Ｐを取得する原稿情報取得部１０と、画像情報Ｇ、原稿情報Ｐ、及び画像情報Ｇを分割する分割数Ｂを入力とし、画像情報Ｇを分割数Ｂで分割した分割画像情報を生成し、該分割画像情報のそれぞれに、印刷媒体の表裏のどちらに印刷するかを表す表裏情報Ｈと該分割画像情報の画像を反転させるか否かを表す反転情報Ｒを付与し、分割画像情報のそれぞれを分割数Ｂ倍して原稿情報Ｐと同じ大きさの媒体に配置させた拡大分割画像情報を生成する画像処理部２０とを備える。
【００７９】
これにより、拡大分割画像情報を印刷した印刷媒体の裁断する辺を揃えられるため、裁断箇所を4分割の場合は1フォント当たり2辺、2分割の場合は1フォント当たり1辺にすることができる。ポスター印刷を行うフォント数を増やすほど効果は大きくなる。
【００８０】
以上、分割数としては2分割と4分割について説明したが、他の複数に分割しても上記の実施形態で説明した技術思想はそのまま適用することができる。例えば、1つの画像情報Ｇを9分割した場合について簡単に説明する。
【００８１】
画像情報Ｇを9分割した場合、画像情報Ｇは横方向に左、中、右の3つ、また、縦方向に上、中、下の3つに分割される。この場合の裁断箇所が2辺の拡大分割画像情報は、左上、右上、左下、右下の4つである。また、裁断箇所が3辺の拡大分割画像情報は、中上、左中、右中、中下の4つである。また、裁断箇所が4辺の拡大分割画像情報は、中中の1つである。裁断箇所の数が同じ拡大分割画像情報を印刷した印刷媒体を重ねて裁断することで、裁断する回数を減らすことができる。
【００８２】
また、3分割、5分割、7分割でも一緒である。1つの画像情報Ｇを横方向に、左、中、右の3つに分割し、拡大した横断幕を作成する場合を想定する。この場合は、左と右の拡大分割画像情報を印刷した印刷媒体を重ねて裁断することで、裁断する回数を減らすことができる。5分割、7分割でも同様である。
【００８３】
このように、本発明の技術思想は、1つの画像情報Ｇを2分割以上の分割数で分割する場合にも適用することができる。なお、画像情報Ｐを分割してから拡大する手順で説明を行ったがこの例に限定されない。画像情報Ｐを拡大してから複数の拡大分割画像情報に分割するようにしても良い。また、画像情報Ｐはフォント「あ」を例に説明したが、画像であれば何でも良い。例えば、画像情報Ｐは、写真等のイメージ（像）であっても構わない。
【００８４】
また、上記のように本発明の画像処理装置１００の機能は、印刷装置が備えるＲＯＭに実装されるプリンタドライバに含めても良い。このように、本発明はここでは記載していない様々な実施形態等を含むことは勿論である。したがって、本発明の技術的範囲は上記の説明から妥当な特許請求の範囲に係る発明特定事項によってのみ定められるものである。
【００８５】
[付記]
本出願は、以下の発明を開示する。
【００８６】
（付記１）
1つの画像情報を、複数に分割すると共に拡大した拡大分割画像情報を生成する画像処理装置であって、
前記画像情報と、該画像情報が配置された媒体の大きさを表す原稿情報を取得する原稿情報取得部と、
前記画像情報、前記原稿情報、及び前記画像情報を分割する分割数を入力とし、前記画像情報を前記分割数で分割した分割画像情報を生成し、該分割画像情報のそれぞれに、印刷媒体の表裏のどちらに印刷するかを表す表裏情報と該分割画像情報の画像を反転させるか否かを表す反転情報を付与し、前記分割画像情報のそれぞれを前記分割数倍して前記画像情報が配置された媒体と同じ大きさの媒体に配置させた前記拡大分割画像情報を生成する画像処理部と
を備える。
【００８７】
（付記２）
前記画像処理部は、
利用者が指定する所定の幅に対応させて、前記拡大分割画像情報を接合させる辺の余白の幅を設定する
ことを特徴とする付記１に記載の画像処理装置。
【００８８】
（付記３）
前記画像処理部は、
利用者が手に取る最上面の前記拡大分割画像情報に、前記余白の幅を示す裁断線情報を付加する
ことを特徴とする付記２に記載の画像処理装置。
【００８９】
（付記４）
前記画像処理部は、
利用者が指定する前記分割画像情報に対応させた順番で前記拡大分割画像情報を生成する
ことを特徴とする付記１乃至３の何れかに記載の画像処理装置。
【符号の説明】
【００９０】
１０  原稿情報取得部
２０  画像処理部
３０  制御部
４０  操作部
５０  表示部
６０  バス
１００，１１０，１２０  画像処理装置
Ｇ  画像情報
Ｂ  分割数
Ｈ  表裏情報
Ｒ  反転情報
Ｈｙ  縦方向の余白
Ｗｙ  横方向の余白
ＣＨ，ＣＷ  裁断線
【図１】
2020035256.tif 000004
【図２】
2020035256.tif 000005
【図３】
2020035256.tif 000006
【図４】
2020035256.tif 000007
【図５】
2020035256.tif 000008
【図６】
2020035256.tif 000009
【図７】
2020035256.tif 000010
【図８】
2020035256.tif 000011
【図９】
2020035256.tif 000012